(57)【要約】【課題】  より利便性の高い撮像装置、及び撮像装置の制御方法を提供する。【解決手段】  一実施形態に係る撮像装置は、画像を表示する表示装置と、前記表示装置を回動させる可動機構と、前記表示装置が回動された回動角度を検出する角度検出部と、前記表示装置に表示させる画像を撮像する撮像部と、前記撮像部を支持する本体と、前記本体の姿勢を検出する姿勢検出部と、前記回動角度と前記姿勢とに基づいて前記表示装置に表示させる画像の向きを制御する表示制御部と、を具備する。【選択図】      図３
2015231162.tif 000002
【特許請求の範囲】
【請求項１】
画像を表示する表示装置と、
前記表示装置を回動させる可動機構と、
前記表示装置が回動された回動角度を検出する角度検出部と、
前記表示装置に表示させる画像を撮像する撮像部と、
前記撮像部を支持する本体と、
前記本体の姿勢を検出する姿勢検出部と、
前記回動角度と前記姿勢とに基づいて前記表示装置に表示させる画像の向きを制御する表示制御部と、
を具備する撮像装置。
【請求項２】
操作時に画像を取得させ、前記画像を記録媒体に保存させるレリーズ動作を前記撮像部に実行させる為のレリーズボタンと、
前記姿勢に基づいて前記記録媒体に保存する前記画像の向きを制御する画像処理部と、
をさらに具備する請求項１に記載の撮像装置。
【請求項３】
前記表示制御部は、前記撮像部により撮像された画像をスルー画として前記表示装置にライブビュー表示させ、前記回動角度と前記姿勢とに基づいて前記表示装置に表示させるスルー画の上下を反転させる請求項２に記載の撮像装置。
【請求項４】
前記表示制御部は、前記撮像装置の状態を示すオンスクリーンディスプレイ（ＯＳＤ）表示を生成し、前記回動角度と前記姿勢とに基づいて前記ＯＳＤ表示を１８０°回転させ、回転させた前記ＯＳＤ表示を前記表示装置に表示させる請求項２に記載の撮像装置。
【請求項５】
前記表示制御部は、前記回動角度が予め設定された閾値以上である場合、前記表示装置に表示させる前記スルー画の上下を反転させる請求項３に記載の撮像装置。
【請求項６】
前記表示制御部は、前記回動角度が予め設定された閾値以上である場合、前記表示装置に表示させる前記ＯＳＤ表示を１８０°回転させる請求項４に記載の撮像装置。
【請求項７】
前記撮像装置に実行させる動作を割り当て可能なカスタムボタンをさらに具備し、
前記撮像部は、前記回動角度が予め設定された閾値以上であり、且つ前記カスタムボタンが操作された場合、前記レリーズ動作を実行する請求項２乃至６のいずれか１項に記載の撮像装置。
【請求項８】
前記画像処理部は、前記姿勢が予め設定された範囲外である場合、前記記録媒体に保存する前記画像の向きを１８０°回転させる請求項２に記載の撮像装置。
【請求項９】
前記表示装置と一体に形成され、タッチ操作を受け付けるタッチセンサと、
前記表示装置が水中に存在するか否か判定する水中判定部と、
を具備し、
前記タッチセンサは、前記水中判定部により前記表示装置が水中に存在すると判定された場合、前記タッチ操作を無効にする、
請求項１に記載の撮像装置。
【請求項１０】
画像を表示する表示装置と、前記表示装置を回動させる可動機構と、前記表示装置に表示させる画像を撮像する撮像部と、前記撮像部を支持する本体と、を具備する撮像装置の制御方法であって、
前記撮像装置は、
前記表示装置が回動された回動角度を検出し、
前記本体の姿勢を検出し、
前記回動角度と前記姿勢とに基づいて前記表示装置に表示させる画像の向きを制御する、
撮像装置の制御方法。
【請求項１１】
撮像装置筐体と、
上記筐体の前面に設けられた撮像用の光学系と、
上記筐体の上面に設けられた撮影用のスイッチと、
上記筐体の背面に設けられた表示部と、
上記表示部を上記撮像用光学系と同じ方向に表示面を向けることが可能な切替機構と、
を有する撮像装置において、
上記撮像用光学系が設けられた該装置表面を前方から見た場合に、上記撮像用光学系の左下部に、上記スイッチとは異なる撮影用のスイッチとを設けたことを具備したことを特徴とする撮像装置。
【発明の詳細な説明】
【技術分野】
【０００１】
本発明の実施形態は、表示装置を備える撮像装置、及び撮像装置の制御方法に関する。
【背景技術】
【０００２】
撮像装置は、一般的に、光に基づいて画像を取得する撮像素子と、撮像素子に光を結像させるレンズなどの光学系と、液晶または有機ＥＬなどの表示装置を備える。また、撮像装置は、撮像素子で取得した画像を表示装置にライブビュー表示させることができる。また、可動式の表示装置を備える撮像装置が一般的に普及している。
【先行技術文献】
【特許文献】
【０００３】
【特許文献１】特公平５−４１０６７号公報
【発明の概要】
【発明が解決しようとする課題】
【０００４】
可動式の表示装置を備える撮像装置が撮影に用いられる場合、撮像装置が種々の姿勢で、用いられることが想定される。例えば、１８０°回動可能な表示装置を備える撮像装置は、光学系と液晶画面とを同じ方向に向けることができる。しかし、ライブビュー表示が常に固定である場合、ライブビュー表示の上下が反転する、操作部の操作キーが上下左右反転するなどの問題が生じる。この結果、利便性を損なう可能性があるという課題がある。
【０００５】
本発明は、より利便性の高い撮像装置、及び撮像装置の制御方法を提供することを目的とする。
【課題を解決するための手段】
【０００６】
一実施形態に係る撮像装置は、画像を表示する表示装置と、前記表示装置を回動させる可動機構と、前記表示装置が回動された回動角度を検出する角度検出部と、前記表示装置に表示させる画像を撮像する撮像部と、前記撮像部を支持する本体と、前記本体の姿勢を検出する姿勢検出部と、前記回動角度と前記姿勢とに基づいて前記表示装置に表示させる画像の向きを制御する表示制御部と、を具備する。
【発明の効果】
【０００７】
より利便性の高い撮像装置、及び撮像装置の制御方法を提供することができる。
【図面の簡単な説明】
【０００８】
【図１】図１は、一実施形態に係る撮像装置の外観について説明する為の図である。
【図２】図２は、一実施形態に係る撮像装置の外観について説明する為の図である。
【図３】図３は、一実施形態に係る撮像装置の制御系について説明する為の図である。
【図４】図４は、一実施形態に係る撮像装置の表示例について説明する為の図である。
【図５】図５は、一実施形態に係る撮像装置の姿勢の例について説明する為の図である。
【図６】図６は、一実施形態に係る撮像装置の姿勢の例について説明する為の図である。
【図７】図７は、一実施形態に係る撮像装置の姿勢の例について説明する為の図である。
【図８】図８は、一実施形態に係る撮像装置の姿勢の例について説明する為の図である。
【図９】図９は、一実施形態に係る撮像装置の動作の例について説明する為の図である。
【図１０】図１０は、一実施形態に係る撮像装置の動作の例について説明する為の図である。
【図１１】図１１は、一実施形態に係る撮像装置の動作の例について説明する為の図である。
【発明を実施するための形態】
【０００９】
以下、図を参照しながら、一実施形態に係る撮像装置、及び撮像装置の制御方法について詳細に説明する。
【００１０】
図１及び図２は、撮像装置１の外観の例を示す。また、図３は、撮像装置１の制御系の構成の例を示す。  
撮像装置１は、レンズを通過した被写体像を撮像素子によって画像として取得する。また、撮像装置１は、この画像を液晶モニタ等の表示装置にリアルタイムで表示させるライブビュー表示（またはスルー画表示）の機能を備える。また、撮像装置１は、レリーズボタン６が全押し操作された場合に画像を記憶媒体保存することができる。
【００１１】
図１及び２に示されるように、撮像装置１は、本体（筐体）２を備える。本体２は、前面カバー４、及び背面カバー５を備える。
【００１２】
撮像装置１は、レリーズボタン６、電源スイッチ７、マイク８Ｌ及びマイク８Ｒから成るステレオマイク８、カスタムボタン９、及びレンズ１０などを例えば前面カバー４上に備える。例えば、撮像装置１は、レリーズボタン６、電源スイッチ７、及びステレオマイク８を本体２の上面に備える。また、撮像装置１は、カスタムボタン９、及びレンズ１０を本体２の前面に備える。また、撮像装置１は、液晶モニタ１１、液晶モニタ１１を支持する支持体１２、ヒンジ１３、十字ボタン１５、及びムービーボタン１６などを例えば背面カバー５上に備える。すなわち、撮像装置１は、液晶モニタ１１、液晶モニタ１１を支持する支持体１２、ヒンジ１３、十字ボタン１５、及びムービーボタン１６を本体２の背面に備える。
【００１３】
また、図３に示されるように、撮像装置１は、撮像素子１７、信号処理部１８、アナログディジタル変換器（Ａ／Ｄ）１９、画像処理部２１、ＡＥ処理部２２、Ｊｐｅｇ処理部３１、表示部３２、操作部３３、集音部４１、加速度センサ４２、水中検出部４３、マクロコンピュータ５０、フラッシュ（Ｆｌａｓｈ）メモリ５１、及びメモリインターフェース（Ｉ／Ｆ）６１を備える。Ａ／Ｄ１９、画像処理部２１、ＡＥ処理部２２、Ｊｐｅｇ処理部３１、表示部３２、操作部３３、集音部４１、加速度センサ４２、水中検出部４３、マクロコンピュータ５０、及びメモリＩ／Ｆ６１は、データバス７０を介して互いに接続されている。
【００１４】
レンズ１０は、光を受光し、受光した光を撮像素子１７に結像させる光学系である。レンズ１０は、複数のレンズが組み合わされた構成を備える。レンズ１０は、例えば、合焦用のレンズを含む。レンズ１０は、撮像装置１のマクロコンピュータ５０の制御に基づいて、合焦用のレンズを駆動する。なお、撮像装置１は、レンズ１０の代わりに、交換レンズを装着する為のマウントを備える構成であってもよい。
【００１５】
撮像素子１７は、レンズ１０の後部（撮像装置１の本体２の内部側）に設けられる。撮像素子１７は、レンズ１０を通った被写体像を光電変換する画素が二次元的に複数配列された画素アレイを備える。撮像素子１７の各画素は、レンズ１０を通った光をそれぞれ光電変換し電荷を蓄えることができる。撮像素子１７は、例えば、Charge Coupled Devices（ＣＣＤ）、Complementary Metal Oxide Semiconductor（ＣＭＯＳ）、または他の二次元撮像素子である。
【００１６】
信号処理部１８は、撮像素子１７から出力された信号に対して信号処理を施す。例えば、信号処理部１８は、撮像素子１７の各画素に蓄積された電荷を読み出す。即ち、信号処理部１８は、撮像素子１７により生成された画像を読み出す。さらに、信号処理部１８は、読み出した画像に対して例えばアナログ増幅等の所定の信号処理を施し、信号処理を施した信号をＡ／Ｄ１９に出力する。
【００１７】
Ａ／Ｄ１９は、信号処理部１８から供給された信号を量子化し、画像データを取得する。Ａ／Ｄ１９は、マクロコンピュータ５０の制御に基づいて画像データを画像処理部２１、ＡＥ処理部２２、及びＪｐｅｇ処理部３１などに出力する。即ち、レンズ１０、撮像素子１７、信号処理部１８、及びＡ／Ｄ１９などにより撮像部が構成される。また、撮像部は、本体２により支持されている。
【００１８】
画像処理部２１は、Ａ／Ｄ１９によりディジタル化された画像データに対して、色補正、ガンマ(γ)補正、コントラスト補正、白黒・カラーモード処理、及びライブビュー画像処理などの各種の画像処理を行う。
【００１９】
ＡＥ処理部２２は、Ａ／Ｄ１９によりディジタル化された画像データを用いて、露出制御等に用いる被写体輝度情報を取得する。
【００２０】
Ｊｐｅｇ処理部３１は、Ａ／Ｄ１９によりディジタル化された画像データに対してＪｐｅｇ方式で圧縮し、Ｊｐｅｇ方式の画像データ（Ｊｐｅｇデータ）を生成する。Ｊｐｅｇ処理部３１は、マクロコンピュータ５０の制御に基づいてＪｐｅｇデータをメモリＩ／Ｆ６１に装着された記録媒体Ｍに出力する。これにより、撮像装置１は、撮像された画像のＪｐｅｇデータを記録媒体Ｍに保存することができる。
【００２１】
表示部３２は、マクロコンピュータ５０の制御に基づいて種々の情報を表示するモジュールである。表示部３２は、図１及び２により示された液晶モニタ１１、及びデータに基づいて画面を液晶モニタ１１に表示させる駆動回路などを備える。液晶モニタ１１は、画像及び種々の情報を表示する表示装置である。なお、撮像装置１は、液晶モニタ１１の代わりに有機ＥＬディスプレイなどの他の表示装置を備える構成であってもよい。液晶モニタ１１は、本体２の背面カバー５に設けられた支持体１２に設けられている。
【００２２】
液晶モニタ１１は、撮像素子１７によって取得された画像データをライブビュー表示することができる。この為に、マクロコンピュータ５０は、画像処理部２１によりライブビュー表示用に画像処理が施された画像データ（スルー画）を生成する。マクロコンピュータ５０は、スルー画を表示部３２に供給するように画像処理部２１を制御する。
【００２３】
さらに、マクロコンピュータ５０は、各種の設定情報及び撮像装置１の状態などに基づいて種々のアイコン及び文字などの表示を含むオンスクリーンディスプレイ（ＯＳＤ）表示を液晶モニタ１１に表示させるためのＯＳＤデータを生成する。マクロコンピュータ５０は、ＯＳＤデータを表示部３２に供給する。
【００２４】
例えば、マクロコンピュータ５０は、撮像装置１の撮影モード、各種の設定情報、バッテリー残量、撮影可能枚数及び撮影可能時間、並びにＡＦエリアなどを液晶モニタ１１に表示させるためのＯＳＤデータを生成する。マクロコンピュータ５０は、スルー画にＯＳＤデータに基づくＯＳＤ表示を重畳させるように表示部３２を制御する。
【００２５】
液晶モニタ１１は、マクロコンピュータ５０の制御に基づいて画面を表示する。即ち、液晶モニタ１１は、スルー画に上記のＯＳＤ表示を重畳させて表示する。
【００２６】
図４は、液晶モニタ１１に表示されるライブビュー表示の例を示す。  
ライブビュー表示は、例えば、スルー画４０１、撮影モードを示すアイコン４０２、各種の設定情報を示すアイコン４０３、ＡＦエリアを示すアイコン４０４、撮影可能枚数及び撮影可能時間を示すアイコン４０５、バッテリー残量を示すアイコン４０６などを含む。マクロコンピュータ５０は、操作部３３による操作、撮像素子１７により取得した画像、及び撮像装置１の内部の状態に応じて、ライブビュー表示を逐次更新する。
【００２７】
支持体１２は、液晶モニタ１１を支持する支持部材である。支持体１２は、本体２の背面カバー５に設けられているヒンジ１３と回動可能な状態で接続されている。これにより、支持体１２は、ヒンジ１３の軸を中心に例えば１８０°回動可能である。即ち、支持体１２は、例えば１８０°回動されることにより液晶モニタ１１を本体２の前面カバー４に設けられたレンズ１０と同じ方向に向けることができる。即ち、支持体１２及びヒンジ１３は、液晶モニタ１１を回動させる可動機構（切替機構）として機能する。また、撮像装置１の本体２が正位であり、且つ撮像装置１の撮像用の光学系であるレンズ１０が設けられた本体２の前面を正面から見た場合、カスタムボタン９は、本体２の前面のレンズ１０の左下部に位置するように設けられている。
【００２８】
またさらに、表示部３２は、支持体１２が回動された角度を検出する角度検出部３２ａを備える。マクロコンピュータ５０は、角度検出部３２ａの検出結果に基づいて支持体１２が回動された角度（回動角度）を認識することができる。
【００２９】
また、図１及び図２は、液晶モニタ１１を支持する支持体１２が背面カバー５の凹陥部に収納された状態を示す。また、図５及び図６は、液晶モニタ１１を支持する支持体１２がヒンジ１３により回動された状態を示す。またさらに、図７及び図８は、液晶モニタ１１を支持する支持体１２がヒンジ１３により１８０°回動されて液晶モニタ１１がレンズ１０と同じ方向に向けられた状態を示す。なお、マクロコンピュータ５０による各姿勢における表示部３２の表示の制御については後述する。
【００３０】
操作部３３は、撮像装置１のユーザによる操作を受け付ける各種の操作ボタンを含む。例えば、操作部３３は、レリーズボタン６、電源スイッチ７、カスタムボタン９、十字ボタン１５、及びムービーボタン１６などの操作ボタンを有する。またさらに、操作部３３は、表示部３２の液晶モニタ１１と一体に形成されたタッチセンサを備える構成であってもよい。タッチセンサは、例えば抵抗膜式タッチセンサ、または静電容量式タッチセンサである。抵抗膜式タッチセンサは、液晶モニタ１１が水中に存在する場合でも動作することができる。また、静電容量式タッチセンサは、液晶モニタ１１が水中に存在する場合動作しない。この為、撮像装置１は、液晶モニタ１１に静電容量式タッチセンサが組み合わされており、且つ液晶モニタ１１が水中に存在することを検出した場合、タッチセンサの機能を無効にする。
【００３１】
レリーズボタン６は、撮像装置１にレリーズ動作及びオートフォーカス（ＡＦ）動作を行わせるためのボタンである。例えばレリーズボタン６が半押しされた場合、撮像装置１は、オートフォーカス動作を行う。即ち、撮像装置１は、液晶モニタ１１に表示されたアイコン４０３により示された領域内で合焦するようにレンズ１０を駆動する。
【００３２】
また、例えばレリーズボタン６が全押しされた場合、撮像装置１は、レリーズ動作を行う。即ち、撮像装置１は、設定情報に基づいて撮像素子１７により電荷を生成し、生成された電荷に応じて信号処理部１８及びＡ／Ｄ１９により画像データを生成し、画像データをＪｐｅｇ処理部３１によりＪｐｅｇデータに変換し、ＪｐｅｇデータをメモリＩ／Ｆ６１に装着されている記録媒体Ｍに保存する。また、撮像装置１は、例えばＪｐｅｇデータとＡ／Ｄ１９により変換された画像データとの両方をメモリＩ／Ｆ６１に装着されている記録媒体Ｍに保存する構成であってもよい。
【００３３】
電源スイッチ７は、撮像装置１の電源の状態をＯＮ／ＯＦＦとで切り替える為のスイッチである。
【００３４】
カスタムボタン９は、予め設定された動作を撮像装置１に実行させる為のボタンである。カスタムボタン９は、例えば、レリーズ動作、ＡＥロック、ＡＦロック、ＡＦエリア拡大、ＡＦ／ＭＦ切り替え、撮影結果のプレビュー、ＡＦ動作、被写体追尾、及び動画撮影などの動作が割り当てられる。カスタムボタン９が押された場合、撮像装置１は、上記したような動作のうちの予め設定された動作を実行する。
【００３５】
十字ボタン１５は、ユーザによる上下左右の操作を受け付ける為のボタンである。例えば、撮像装置１は、十字ボタン１５の操作に応じて、ＡＦエリアを移動させることができる。
【００３６】
また、撮像装置１は、図示されないメニューボタンが押された場合、メニュー画面を液晶モニタ１１に表示させる。撮像装置１は、メニュー画面を液晶モニタ１１に表示させている状態での十字ボタン１５の操作に応じて、メニュー中の選択項目を切り替えることができる。また、十字ボタン１５は、中央に決定ボタンを備える。撮像装置１は、決定ボタンの操作に応じて各種の設定情報を変更することができる。こうしたボタン操作で、ユーザは様々なマニュアル撮影を行うことが出来る、つまり、このカメラは、オート撮影以外に、各スイッチの設定によって、それに応じた撮影制御を行うことができる。本発明の特徴である自分撮り撮影時のユーザーインターフェースの切替も、自動切り替えのみならず、こうした設定で、ユーザの好みに変えられるようにしても良い。
【００３７】
また、撮像装置１は、図示されない再生ボタンが押された場合、記録媒体Ｍに保存されている画像または動画を表示する再生画面を液晶モニタ１１に表示させる。撮像装置１は、再生画面を液晶モニタ１１に表示させている状態での十字ボタン１５の操作に応じて、表示する画像または動画を切り替えることができる。
【００３８】
ムービーボタン１６は、撮像装置１に動画撮影を実行させる為のボタンである。撮像装置１は、ムービーボタン１６が押された場合、動画の撮影を行う録画状態と、動画の撮影を行わない通常状態とを機切り替える。
【００３９】
集音部４１は、動画の撮影時に音声を取得する為のステレオマイク８を備える。また、上記したように、ステレオマイク８は、マイク８Ｌ及びマイク８Ｒを備える。集音部４１は、マイク８Ｌ及びマイク８Ｒによりステレオの音声を取得することができる。また、集音部４１は、マイク８Ｌ及びマイク８Ｒによりモノラルの音声を取得することもできる。
【００４０】
加速度センサ４２は、撮像装置１の加速度を検出することができる。これにより、撮像装置１は、撮像装置１の本体２の上下方向の角度の傾き（ピッチ）を検出することができる。マクロコンピュータ５０は、加速度センサ４２の検出結果に基づいて、撮像装置１の本体２の姿勢を認識することができる。即ち、マクロコンピュータ５０及び加速度センサ４２は、本体２の姿勢を検出する姿勢検出部として機能する。
【００４１】
水中検出部４３は、撮像装置１の本体２及び液晶モニタ１１が水中に存在するか否かを検出することができる。例えば、水中検出部４３は、水圧計を備える。水中検出部４３が水圧計を備える場合、撮像装置１のマクロコンピュータ５０は、水圧計の検出結果に基づいて本体２及び／または液晶モニタ１１が水中に存在するか否か判断する。
【００４２】
また、水中検出部４３は、水深計を備える構成であってもよい。水中検出部４３が水深計を備える場合、撮像装置１のマクロコンピュータ５０は、水深計及び表示部３２の角度検出部３２ａの検出結果に基づいて本体２及び液晶モニタ１１が水中に存在するか否か判断する構成であってもよい。例えば、マクロコンピュータ５０は、水深計の検出結果に基づいて撮像装置１の本体２が水中の水面近くに存在することを認識し、且つ角度検出部３２ａの検出結果に基づいて支持体１２が一定角度以上回動されていることを認識した場合、液晶モニタ１１が水面上に存在し、且つ本体２が水中に存在すると判断する。
【００４３】
マクロコンピュータ５０は、撮像装置１の各種の動作を制御する制御部である。マクロコンピュータ５０は、例えばＣＰＵ及びキャッシュメモリなどを備える。フラッシュメモリ５１は、撮像装置１を制御する為のプログラム、各種の機能を実現する為のプログラム、及び各種の設定情報などを記憶する。ＣＰＵは、種々の演算処理を実行する演算素子である。キャッシュメモリは、ＣＰＵによる演算の結果、ＣＰＵにより読み込まれたデータなどを一時的に記憶する。マクロコンピュータ５０は、操作部３３から供給された操作信号に基づいて、フラッシュメモリ５１に記憶されているプログラムを実行し、撮像装置１の各部の動作を制御する。
【００４４】
メモリＩ／Ｆ６１は、記録媒体Ｍと撮像装置１の各部との間でのデータの入出力を制御する。メモリＩ／Ｆ６１は、記録媒体Ｍを挿入可能なカードスロットなどを備える。記録媒体Ｍは、複数の接触端子を備える。また、メモリＩ／Ｆ６１は、記録媒体Ｍがカードスロットに挿入された場合に記録媒体Ｍの接触端子と電気的に接続される接触端子を備える。これにより、撮像装置１は、記録媒体Ｍにデータを保存することと、記録媒体Ｍからデータを読み出すこととを実行することができる。
【００４５】
マクロコンピュータ５０は、角度検出部３２ａにより検出された液晶モニタ１１を支持する支持体１２の回動角度と、加速度センサ４２の検出結果に基づいて認識した本体２の姿勢とに基づいて、液晶モニタ１１に表示させるスルー画及びＯＳＤ表示などの画像の向きを制御する。即ち、マクロコンピュータ５０は、液晶モニタ１１に表示させる画像の向きを制御する表示制御部として機能する。
【００４６】
図２は、撮像装置１の本体２のピッチが所定の範囲内である正位であり、且つ支持体１２の回動されている角度が第１の閾値未満である通常状態を示す。なお、以下本体２の前面カバー４が上方を向く方向のピッチを正、前面カバー４が下方を向く方向のピッチを負とする。マクロコンピュータ５０は、加速度センサ４２、及び角度検出部３２ａの検出結果に基づいて、撮像装置１が通常状態であることを認識することができる。
【００４７】
例えば、マクロコンピュータ５０は、ピッチが−Ｘ°以上＋Ｙ°未満であり、且つ支持体１２の回動角度が第１の閾値未満である場合に撮像装置１が通常状態であると判断する。例えば、マクロコンピュータ５０は、ピッチが−４５°以上＋１３５°未満であり、且つ支持体１２の回動角度が第１の閾値未満である場合に撮像装置１が通常状態であると判断する。
【００４８】
撮像装置１が通常状態である場合、マクロコンピュータ５０は、反転させない状態のスルー画（通常スルー画）を液晶モニタ１１に表示させ、且つＯＳＤ表示を回転させない通常レイアウトで液晶モニタ１１に表示させる。また、撮像装置１が通常状態である場合、マクロコンピュータ５０は、操作部３３の十字ボタン１５の上下左右を反転させず、記録媒体Ｍに保存する画像を回転させず、ステレオマイク８のマイク８Ｌの出力とマイク８Ｒの出力とを反転させない。
【００４９】
図５は、撮像装置１の本体２のピッチが所定の範囲内である正位であり、且つ支持体１２が第１の閾値以上第２の閾値未満の角度で回動されたローアングルモードである状態を示す。即ち、マクロコンピュータ５０は、撮像装置１のユーザが目線より低い位置に撮像装置１を構える状態、または撮像装置１の本体２を傾けてレンズ１０が上方に向けられた状態である場合、撮像装置１をローアングルモードで動作させる。
【００５０】
例えば、マクロコンピュータ５０は、ピッチが−Ｘ°以上＋Ｙ°未満であり、且つ支持体１２の回動角度が第１の閾値以上第２の閾値未満の角度である場合に撮像装置１がローアングルモードであると判断する。例えば、マクロコンピュータ５０は、ピッチが−４５°以上＋１３５°未満であり、且つ支持体１２の回動角度が第１の閾値以上第２の閾値未満の角度である場合に撮像装置１がローアングルモードであると判断する。
【００５１】
撮像装置１がローアングルモードである場合、マクロコンピュータ５０は、通常スルー画を液晶モニタ１１に表示させ、且つＯＳＤ表示を回転させない通常レイアウトで液晶モニタ１１に表示させる。また、撮像装置１がローアングルモードである場合、マクロコンピュータ５０は、操作部３３の十字ボタン１５の上下左右を反転させず、記録媒体Ｍに保存する画像を回転させず、ステレオマイク８のマイク８Ｌの出力とマイク８Ｒの出力とを反転させない。
【００５２】
図６は、撮像装置１の本体２のピッチが所定の範囲外である逆位であり、且つ支持体１２が第１の閾値以上第２の閾値未満の角度で回動されたハイアングルモードである状態を示す。即ち、マクロコンピュータ５０は、撮像装置１のユーザが目線より高い位置に撮像装置１を構える状態、または撮像装置１の本体２を傾けてレンズ１０が下方に向けられた状態である場合、撮像装置１をハイアングルモードで動作させる。
【００５３】
例えば、マクロコンピュータ５０は、ピッチが−Ｘ°未満または＋Ｙ°以上であり、且つ支持体１２の回動角度が第１の閾値以上第２の閾値未満の角度である場合に撮像装置１がハイアングルモードであると判断する。例えば、マクロコンピュータ５０は、ピッチが−４５°未満または＋１３５°以上であり、且つ支持体１２の回動角度が第１の閾値以上第２の閾値未満の角度である場合に撮像装置１がハイアングルモードであると判断する。
【００５４】
撮像装置１がハイアングルモードである場合、マクロコンピュータ５０は、スルー画の上下を反転させた反転スルー画を液晶モニタ１１に表示させ、且つＯＳＤ表示を１８０°回転させた回転レイアウトで液晶モニタ１１に表示させる。また、撮像装置１がハイアングルモードである場合、マクロコンピュータ５０は、操作部３３の十字ボタン１５の上下左右を反転させ、記録媒体Ｍに保存する画像を１８０°回転させ、ステレオマイク８のマイク８Ｌの出力とマイク８Ｒの出力とを反転させる。
【００５５】
図７は、撮像装置１の本体２のピッチが所定の範囲内である正位であり、且つ支持体１２が第２の閾値以上の角度で回動された正位自分撮りモードである状態を示す。即ち、マクロコンピュータ５０は、撮像装置１の本体２が正位であり、且つ液晶モニタ１１を支持する支持体１２がヒンジ１３により回動されて液晶モニタ１１がレンズ１０と同じ方向に向けられた状態である場合、撮像装置１を正位自分撮りモードで動作させる。このように、撮像装置の筐体の前面に撮像用の光学系があり、上記筐体の上面に設けられた撮影用のスイッチが見えている。
【００５６】
例えば、マクロコンピュータ５０は、ピッチが−Ｘ°以上＋Ｙ°未満であり、且つ支持体１２の回動角度が第２の閾値以上の角度である場合に撮像装置１が正位自分撮りモードであると判断する。例えば、マクロコンピュータ５０は、ピッチが−４５°以上＋１３５°未満であり、且つ支持体１２の回動角度が第２の閾値以上の角度（例えば１８０°）である場合に撮像装置１が正位自分撮りモードであると判断する。
【００５７】
撮像装置１が正位自分撮りモードである場合、マクロコンピュータ５０は、スルー画の上下を反転させた反転スルー画を液晶モニタ１１に表示させ、且つＯＳＤ表示を１８０°回転させた回転レイアウトで液晶モニタ１１に表示させる。また、撮像装置１が正位自分撮りモードである場合、マクロコンピュータ５０は、操作部３３の十字ボタン１５の左右を反転させ、記録媒体Ｍに保存する画像を１８０°回転させず、ステレオマイク８のマイク８Ｌの出力とマイク８Ｒの出力とを反転させない。この状態では、上記筐体の背面に設けられた表示部を、上記表示部を上記撮像用光学系と同じ方向に表示面を向けることが可能な切替機構を用いて、撮影者（被写体）の方を写せるように前面に向けるが、レリーズ用（撮影用）スイッチは、一般にカメラ上面の撮影光学系の方向から見た時には左側に配置されるから、自分撮り時に、ユーザは左手でこれを操作することとなる。この場合、左手で把持かつ、このスイッチを左の指で撮影するしかなくなり、安定の度合いが悪くなって手振れに注意が必要で、慣れたユーザ向けの仕様とも言える。
【００５８】
図８は、撮像装置１の本体２のピッチが所定の範囲外である逆位であり、且つ支持体１２が第２の閾値以上の角度で回動された逆位自分撮りモードである状態を示す。即ち、マクロコンピュータ５０は、撮像装置１の本体２が逆位であり、且つ液晶モニタ１１を支持する支持体１２がヒンジ１３により回動されて液晶モニタ１１がレンズ１０と同じ方向に向けられた状態である場合、撮像装置１を逆位自分撮りモードで動作させる。
【００５９】
例えば、マクロコンピュータ５０は、ピッチが−Ｘ°未満または＋Ｙ°以上であり、且つ支持体１２の回動角度が第２の閾値以上の角度である場合に撮像装置１が逆位自分撮りモードであると判断する。例えば、マクロコンピュータ５０は、ピッチが−４５°未満または＋１３５°以上であり、且つ支持体１２の回動角度が第２の閾値以上の角度（例えば１８０°）である場合に撮像装置１が逆位自分撮りモードであると判断する。
【００６０】
撮像装置１が逆位自分撮りモードである場合、マクロコンピュータ５０は、スルー画の上下を反転させた反転スルー画を液晶モニタ１１に表示させ、且つＯＳＤ表示を回転させない通常レイアウトで液晶モニタ１１に表示させる。また、撮像装置１が逆位自分撮りモードである場合、マクロコンピュータ５０は、操作部３３の十字ボタン１５の上下左右を反転させ、記録媒体Ｍに保存する画像を１８０°回転させ、ステレオマイク８のマイク８Ｌの出力とマイク８Ｒの出力とを反転させる。
【００６１】
また、撮像装置１が正位自分撮りモードまたは逆位自分撮りモードである場合、マクロコンピュータ５０は、カスタムボタン９に一時的にレリーズ動作を割り当てる。この状態では、上記筐体の背面に設けられた表示部を、上記表示部を上記撮像用光学系と同じ方向に表示面を向けることが可能な切替機構で、撮影者（被写体）の方を写せるように前面に向けたとともに、天地（上下）を反対にするので、レリーズ用（撮影用）スイッチは、使わず、自分撮り時に、ユーザは上記撮像用光学系が設けられた該装置表面を前方から見た場合に、上記撮像用光学系の左下部に設けた、レリーズ用スイッチとは異なる撮影用のスイッチとを設けたことで、右手でしっかり把持しての撮影が可能となる。表示部が下になるので、目線が下がり、伏し目がちな奥ゆかしい表情を捉えることも出来る。
【００６２】
図１及び図２に示されるように、レリーズボタン６は、ユーザの右手側、即ち、撮像装置１の本体２の背面カバー５から見て右側に設けられている。しかし、撮像装置１が正位自分撮りモードまたは逆位自分撮りモードである場合、ユーザは撮像装置１を前面カバー４側から保持することが想定される。
【００６３】
例えば撮像装置１が正位自分撮りモードである場合、ユーザが撮像装置１を前面カバー４側から保持することが想定される。この為、ユーザは、レリーズボタン６を左手で操作する必要がある。この為、レリーズボタン６の操作が容易ではなくなる。また、例えば撮像装置１が逆位自分撮りモードである場合、ユーザが逆位の撮像装置１を前面カバー４側から保持することが想定される。この場合、レリーズボタン６が撮像装置１の底面に位置する為、レリーズボタン６の操作が容易ではなくなる。
【００６４】
しかし、上記したように撮像装置１が正位自分撮りモードまたは逆位自分撮りモードである場合にマクロコンピュータ５０がカスタムボタン９に一時的にレリーズ動作を割り当てることにより、撮像装置１は、ユーザにレリーズ動作の為の操作をより容易に行わせることができる。
【００６５】
またさらに、撮像装置１が正位自分撮りモードまたは逆位自分撮りモードである場合、背面カバー５側に設けられたボタンが誤操作されることが想定される。そこで、マクロコンピュータ５０は、撮像装置１が正位自分撮りモードまたは逆位自分撮りモードである場合、背面カバー５側に設けられたボタンを無効する構成であってもよい。
【００６６】
撮像装置１は、マクロコンピュータ５０が上記のようにスルー画、ＯＳＤ表示、記録画像の回転、記録音声の左右反転、及び十字ボタン１５の上下左右の反転を制御する。これにより、撮像装置１は、ユーザが直感的に操作することができるユーザインタフェースを液晶モニタ１１に表示される画面で提供することができる。
【００６７】
図９乃至図１１は、撮像装置１の動作の例を示す。  
撮像装置１の電源がＯＮされ、撮影モードが開始された場合、撮像装置１は、図９乃至図１１に示す動作を実行する。
【００６８】
まず、撮像装置１のマクロコンピュータ５０は、撮像素子１７によりスルー画を撮像する（ステップＳ１１）。
【００６９】
マクロコンピュータ５０は、撮像装置１の本体２が水中に存在するか否か判断する（ステップＳ１２）。マクロコンピュータ５０は、上記したように、水中検出部４３の検出結果に基づいて、撮像装置１の本体２が水中に存在するか否か判断する。
【００７０】
撮像装置１の本体２が水中に存在しないと判断した場合、マクロコンピュータ５０は、撮像装置１が通常モードまたはローアングルモードに該当する状態であるか否か判断する（ステップＳ１３）。
【００７１】
撮像装置１が通常モードまたはローアングルモードであると判断した場合、マクロコンピュータ５０は、通常スルー画を液晶モニタ１１に表示させる（ステップＳ１４）。
【００７２】
さらに、マクロコンピュータ５０は、ＯＳＤ表示を通常レイアウトで液晶モニタ１１に表示させる（ステップＳ１５）。
【００７３】
またさらに、マクロコンピュータ５０は、ステレオマイク８のマイク８Ｌの出力とマイク８Ｒの出力とを反転させない通常ステレオモードで動作するように設定する（ステップＳ１６）。
【００７４】
この状態で、マクロコンピュータ５０は、レリーズ動作、ＡＥロック、ＡＦロック、ＡＦエリア拡大、ＡＦ／ＭＦ切り替え、撮影結果のプレビュー、ＡＦ動作、被写体追尾、及び動画撮影などの動作を撮像装置１に実行させるための操作入力、及び種々の設定情報を変更する為の操作入力を受け付けることができる。例えば、マクロコンピュータ５０は、カスタムボタン９が操作されたか否か判断する（ステップＳ１７）。
【００７５】
カスタムボタン９が操作されたと判断した場合、マクロコンピュータ５０は、カスタムボタン９に割り当てられた動作を実行する（ステップＳ１８）。また、カスタムボタン９が操作されていないと判断した場合、マクロコンピュータ５０は、ステップＳ１９の動作に移行する。
【００７６】
マクロコンピュータ５０は、レリーズボタン６が操作されたか否か判断する（ステップＳ１９）。レリーズボタン６が操作されたと判断した場合、マクロコンピュータ５０は、レリーズ動作を行う（ステップＳ２０）。即ち、マクロコンピュータ５０は、設定情報に基づいて撮像素子１７により電荷を生成し、生成された電荷に応じて信号処理部１８及びＡ／Ｄ１９により画像データを生成する。さらに、マクロコンピュータ５０は、生成された画像データをメモリＩ／Ｆ６１に装着されている記録媒体Ｍに保存し（ステップＳ２１）、ステップＳ１１の処理に戻る。
【００７７】
また、ステップＳ１３で撮像装置１が通常モードまたはローアングルモードではないと判断した場合、マクロコンピュータ５０は、撮像装置１がハイアングルモードであるか否か判断する（ステップＳ２２）。
【００７８】
撮像装置１がハイアングルモードであると判断した場合、マクロコンピュータ５０は、反転スルー画を液晶モニタ１１に表示させる（ステップＳ２３）。
【００７９】
さらに、マクロコンピュータ５０は、ＯＳＤ表示を１８０°回転させた回転レイアウトで液晶モニタ１１に表示させる（ステップＳ２４）。
【００８０】
またさらに、マクロコンピュータ５０は、ステレオマイク８のマイク８Ｌの出力とマイク８Ｒの出力とを反転させた反転ステレオモードで動作するように設定する（ステップＳ２５）。
【００８１】
またさらに、マクロコンピュータ５０は、十字ボタン１５が操作された場合の選択動作が上下左右で反転するように設定する（ステップＳ２６）。
【００８２】
マクロコンピュータ５０は、カスタムボタン９が操作されたか否か判断する（ステップＳ２７）。
【００８３】
カスタムボタン９が操作されたと判断した場合、マクロコンピュータ５０は、カスタムボタン９に割り当てられた動作を実行する（ステップＳ２８）。また、カスタムボタン９が操作されていないと判断した場合、マクロコンピュータ５０は、ステップＳ２９の動作に移行する。
【００８４】
マクロコンピュータ５０は、レリーズボタン６が操作されたか否か判断する（ステップＳ２９）。レリーズボタン６が操作されたと判断した場合、マクロコンピュータ５０は、レリーズ動作を行う（ステップＳ３０）。即ち、マクロコンピュータ５０は、設定情報に基づいて撮像素子１７により電荷を生成し、生成された電荷に応じて信号処理部１８及びＡ／Ｄ１９により画像データを生成する。さらに、マクロコンピュータ５０は、生成された画像データを１８０°回転させ、回転された画像データをメモリＩ／Ｆ６１に装着されている記録媒体Ｍに保存し（ステップＳ３１）、ステップＳ１１の処理に戻る。
【００８５】
また、ステップＳ２２で撮像装置１がハイアングルモードではないと判断した場合、マクロコンピュータ５０は、図１０のステップＳ４１の処理に移行する。マクロコンピュータ５０は、撮像装置１が正位自分撮りモードであるか否か判断する（ステップＳ４１）。
【００８６】
撮像装置１が正位自分撮りモードであると判断した場合、マクロコンピュータ５０は、反転スルー画を液晶モニタ１１に表示させる（ステップＳ４２）。
【００８７】
さらに、マクロコンピュータ５０は、ＯＳＤ表示を１８０°回転させた回転レイアウトで液晶モニタ１１に表示させる（ステップＳ４３）。
【００８８】
またさらに、マクロコンピュータ５０は、ステレオマイク８のマイク８Ｌの出力とマイク８Ｒの出力とを反転させない通常ステレオモードで動作するように設定する（ステップＳ４４）。
【００８９】
またさらに、マクロコンピュータ５０は、十字ボタン１５が操作された場合の選択動作が左右で反転するように設定する（ステップＳ４５）。
【００９０】
マクロコンピュータ５０は、カスタムボタン９が操作されたか否か判断する（ステップＳ４６）。さらに、マクロコンピュータ５０は、レリーズボタン６が操作されたか否か判断する（ステップＳ４７）。マクロコンピュータ５０は、ステップＳ４６またはステップＳ４７でレリーズボタン６またはカスタムボタン９が操作されたと判断した場合、レリーズ動作を行う（ステップＳ４８）。即ち、マクロコンピュータ５０は、設定情報に基づいて撮像素子１７により電荷を生成し、生成された電荷に応じて信号処理部１８及びＡ／Ｄ１９により画像データを生成する。さらに、マクロコンピュータ５０は、生成された画像データをメモリＩ／Ｆ６１に装着されている記録媒体Ｍに保存し（ステップＳ４９）、図９のステップＳ１１の処理に戻る。
【００９１】
また、ステップＳ４２で撮像装置１が正位自分撮りモードではないと判断した場合、マクロコンピュータ５０は、撮像装置１が逆位自分撮りモードであるか否か判断する（ステップＳ５０）。
【００９２】
撮像装置１が逆位自分撮りモードであると判断した場合、マクロコンピュータ５０は、反転スルー画を液晶モニタ１１に表示させる（ステップＳ５１）。
【００９３】
さらに、マクロコンピュータ５０は、ＯＳＤ表示を１８０°回転させた回転レイアウトで液晶モニタ１１に表示させる（ステップＳ５２）。
【００９４】
またさらに、マクロコンピュータ５０は、ステレオマイク８のマイク８Ｌの出力とマイク８Ｒの出力とを反転させた反転ステレオモードで動作するように設定する（ステップＳ５３）。
【００９５】
またさらに、マクロコンピュータ５０は、十字ボタン１５が操作された場合の選択動作が上下左右で反転するように設定する（ステップＳ５４）。
【００９６】
マクロコンピュータ５０は、カスタムボタン９が操作されたか否か判断する（ステップＳ５５）。さらに、マクロコンピュータ５０は、レリーズボタン６が操作されたか否か判断する（ステップＳ５６）。マクロコンピュータ５０は、ステップＳ５５またはステップＳ５６でレリーズボタン６またはカスタムボタン９が操作されたと判断した場合、レリーズ動作を行う（ステップＳ５７）。即ち、マクロコンピュータ５０は、設定情報に基づいて撮像素子１７により電荷を生成し、生成された電荷に応じて信号処理部１８及びＡ／Ｄ１９により画像データを生成する。さらに、マクロコンピュータ５０は、生成された画像データを１８０°回転させ、回転された画像データをメモリＩ／Ｆ６１に装着されている記録媒体Ｍに保存し（ステップＳ５８）、図９のステップＳ１１の処理に戻る。
【００９７】
また、ステップＳ５０で撮像装置１が逆位自分撮りモードではないと判断した場合、マクロコンピュータ５０は、撮像装置１の状態が不定であると判断し、図９のステップＳ１１の処理に戻る。
【００９８】
また、図９のステップＳ１２で、撮像装置１の本体２が水中に存在すると判断した場合、マクロコンピュータ５０は、図１１のステップＳ６１の処理に移行する。撮像装置１の本体２が水中に存在すると判断した場合、マクロコンピュータ５０は、撮像装置１を水中撮影モードに設定する（ステップＳ６１）。
【００９９】
マクロコンピュータ５０は、撮像装置１を水中撮影モードに設定した場合、液晶モニタ１１が水面上に存在するか否か判断する（ステップＳ６２）。上記したように、マクロコンピュータ５０は、水中検出部４３の検出結果と、表示部３２の角度検出部３２ａの検出結果とに基づいて、本体２が水中の水面近くに存在し、且つ液晶モニタ１１を支持する支持体１２が一定角度以上回動されていることを認識した場合、液晶モニタ１１が水面上に存在すると判断する。
【０１００】
液晶モニタ１１が水面上に存在すると判断した場合、マクロコンピュータ５０は、ステップＳ６４の処理に移行する。また、液晶モニタ１１が水中に存在すると判断した場合、マクロコンピュータ５０は、操作部３３のタッチセンサを無効にする（ステップＳ６３）。なお、操作部３３のタッチセンサが静電容量式タッチセンサではなく抵抗膜式タッチセンサである場合、液晶モニタ１１が水中に存在しても動作することができる。この為、操作部３３のタッチセンサが抵抗膜式タッチセンサである場合、ステップＳ６２及びステップＳ６３を省略してもよい。
【０１０１】
マクロコンピュータ５０は、撮像装置１が正位自分撮りモードまたは逆位自分撮りモードであるか否か判断する（ステップＳ６４）。
【０１０２】
ステップＳ６４で、撮像装置１が正位自分撮りモードまたは逆位自分撮りモードではないと判断した場合、マクロコンピュータ５０は、マクロコンピュータ５０は、通常スルー画を液晶モニタ１１に表示させる（ステップＳ６５）。
【０１０３】
さらに、マクロコンピュータ５０は、ＯＳＤ表示を通常レイアウトで液晶モニタ１１に表示させる（ステップＳ６６）。
【０１０４】
またさらに、マクロコンピュータ５０は、ステレオマイク８のマイク８Ｌの出力とマイク８Ｒの出力とをモノラル音声として記録するモノラルモードで動作するように設定する（ステップＳ６７）。
【０１０５】
マクロコンピュータ５０は、カスタムボタン９が操作されたか否か判断する（ステップＳ６８）。さらに、マクロコンピュータ５０は、レリーズボタン６が操作されたか否か判断する（ステップＳ６９）。マクロコンピュータ５０は、ステップＳ６８またはステップＳ６９でレリーズボタン６またはカスタムボタン９が操作されたと判断した場合、レリーズ動作を行う（ステップＳ７０）。即ち、マクロコンピュータ５０は、設定情報に基づいて撮像素子１７により電荷を生成し、生成された電荷に応じて信号処理部１８及びＡ／Ｄ１９により画像データを生成する。さらに、マクロコンピュータ５０は、生成された画像データをメモリＩ／Ｆ６１に装着されている記録媒体Ｍに保存し（ステップＳ７１）、図９のステップＳ１１の処理に戻る。
【０１０６】
また、ステップＳ６４で撮像装置１が正位自分撮りモードまたは逆位自分撮りモードであると判断した場合、マクロコンピュータ５０は、図１０のステップＳ４１の処理に移行する。
【０１０７】
なお、上記の例では、マクロコンピュータ５０は、ステップＳ１９、ステップＳ２９、ステップＳ４７、ステップＳ５６、及びステップＳ６９でレリーズボタン６が押されたか否か判断すると説明したが、この構成に限定されない。マクロコンピュータ５０は、ステップＳ１９、ステップＳ２９、ステップＳ４７、ステップＳ５６、及びステップＳ６９でムービーボタン１６が押されたか否か判断する構成であってもよい。マクロコンピュータ５０は、ステップＳ１９、ステップＳ２９、ステップＳ４７、ステップＳ５６、及びステップＳ６９でムービーボタン１６が押されたと判断した場合、動画の撮影を開始する。また、マクロコンピュータ５０は、動画の撮影中にムービーボタン１６が押されたと判断した場合、撮影した動画のデータを記録媒体Ｍに保存する。
【０１０８】
上記したように、撮像装置１は、本体２の姿勢と、液晶モニタ１１を支持する支持体１２の回動角度に応じて、液晶モニタ１１に表示されるスルー画の上下を反転させる。また、撮像装置１は、本体２の姿勢と、液晶モニタ１１を支持する支持体１２の回動角度に応じて、ＯＳＤ表示を１８０°回転させる。これにより、撮像装置１は、ユーザが直感的に操作することができるユーザインタフェースを液晶モニタ１１に表示される画面で提供することができる。
【０１０９】
またさらに、撮像装置１は、撮像装置１が自分撮りモードである場合にレリーズ動作を行うカスタムボタン９を本体２の前面カバー４側に備える。これにより、撮像装置１は、ユーザが撮像装置１を前面カバー４側から保持することが想定される場合であっても、レリーズ動作を撮像装置１に行わせるためのカスタムボタン９をユーザに容易に操作させることができる。
【０１１０】
なお、上記の実施形態では、カスタムボタン９が本体２の前面カバー４に設けられている例について説明したが、この構成に限定されない。カスタムボタン９は、ユーザが撮像装置１を前面カバー４側から保持した場合に操作しやすい位置であればどこに設けられていてもよい。例えば、カスタムボタン９は、撮像装置１の本体２の底部に設けられていてもよい。なお、カスタムボタン９が本体２の底部に設けられている場合、マクロコンピュータ５０は、撮像装置１の本体が逆位である場合にカスタムボタン９を有効にし、撮像装置１の本体が正位である場合にカスタムボタン９を無効にする。
【０１１１】
また上記の実施形態では、撮像装置１は、撮像装置１の本体２の姿勢及び支持部１２の回動角度に基づいて自分撮りモードであるか否かを判別する構成であると説明したがこの構成に限定されない。撮像装置１は、さらに操作時に撮像装置１を自分撮りモードに切り替える為のボタンを備えていてもよい。撮像装置１は、このボタンが操作に応じて、自分撮りモードと他のモードとを切り替える構成であってもよい。
【０１１２】
本発明の実施形態の説明にあたっては、撮像装置（カメラ）１としては、レンズ一体型のコンパクトタイプのデジタルカメラを例として挙げたが、撮像装置１がレンズ交換タイプであってもよい。また可動式の液晶モニタを備えるものであれば、撮像装置１は、これらのデジタルカメラ以外にも、ビデオカメラ、携帯電話、ＰＤＡ（携帯情報端末：Personal Digital Assistant）等の携帯電子機器などであってもよい。
【０１１３】
なお、上述の各実施の形態で説明した機能は、ハードウエアを用いて構成するに留まらず、ソフトウエアを用いて各機能を記載したプログラムをコンピュータに読み込ませて実現することもできる。また、各機能は、適宜ソフトウエア、ハードウエアのいずれかを選択して構成するものであっても良い。
【０１１４】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【符号の説明】
【０１１５】
１…撮像装置、２…本体、４…前面カバー、５…背面カバー、６…レリーズボタン、７…電源スイッチ、８Ｌ…マイク、８Ｒ…マイク、８…ステレオマイク、９…カスタムボタン、１０…レンズ、１１…液晶モニタ、１２…支持体、１３…ヒンジ、１５…十字ボタン、１６…ムービーボタン、１７…撮像素子、１８…信号処理部、１９…アナログディジタル変換器、２１…画像処理部、２２…ＡＥ処理部、３１…処理部、３２…表示部、３２ａ…角度検出部、３３…操作部、４１…集音部、４２…加速度センサ、４３…水中検出部、５０…マクロコンピュータ、５１…フラッシュメモリ、６１…メモリインターフェース、７０…データバス。
【図１】
2015231162.tif 000003
【図２】
2015231162.tif 000004
【図３】
2015231162.tif 000005
【図４】
2015231162.tif 000006
【図５】
2015231162.tif 000007
【図６】
2015231162.tif 000008
【図７】
2015231162.tif 000009
【図８】
2015231162.tif 000010
【図９】
2015231162.tif 000011
【図１０】
2015231162.tif 000012
【図１１】
2015231162.tif 000013